(57)【要約】【課題】  暗号化した動画信号と音声信号をストリーミング配信する際、暗号化した動画データを、刻々と鍵を変更しながらリアルタイムで暗号処理、配信処理を行うこと可能とする動画伝送システムを提供する。【解決手段】  動画を暗号化する際、秘密鍵と単位時間ごとに生成する派生パラメータとで派生鍵を作り、この派生鍵で動画データをリアルタイムで暗号化し、かつ、派生パラメータを電子透かしとして音声データに埋め込むことにより、鍵を単位時間ごとに変化させながら、暗号化した動画データのストリーミング配信が可能となる動画伝送システムを実現する。【選択図】図８
2010147749.tif 000002
【特許請求の範囲】
【請求項１】
暗号化された動画データを、ネットワークを介して配信する動画配信モジュールにおいて、
前記モジュールは、
動画入力インターフェースと、
前記入力インターフェースからの動画信号を所定ブロック毎に区分されたフォーマットからなる動画データに変換する動画データ処理手段と、
前記動画データ処理手段からのブロック毎に区分された動画データのブロックを最小単位とした組毎に暗号化する暗号化手段と、
所定ブロックの組毎に暗号化された動画データを所定ブロックの組毎に復号するための復号パラメータを、当該動画データに付帯する音声データ記録領域に埋め込む復号パラメータ埋め込み手段と、
暗号化された動画データと、前記復号パラメータをネットワークを介して外部へ配信するネットワークインターフェースと
からなることを特徴とする動画配信モジュール。
【請求項２】
前記復号パラメータは、電子透かしとして埋め込まれることを特徴とする請求項１に記載の動画配信モジュール。
【請求項３】
前記暗号化手段は、ＩＣカードまたはＳＩＭに搭載された暗号化手段であることを特徴とする請求項1または請求項２に記載の動画配信モジュール。
【請求項４】
前記暗号化手段は、共通鍵および乱数パラメータから生成される派生鍵を用いた暗号化方式であることを特徴とする請求項1〜３いずれかに記載の動画配信モジュール。
【請求項５】
前記復号パラメータは、前記乱数パラメータであることを特徴とする請求項1〜４いずれかに記載の動画配信モジュール。
【請求項６】
請求項1〜５いずれかに記載の動画配信モジュールからネットワークを介して配信される暗号化された動画データを受信し、復号する動画受信モジュールにおいて、
前記モジュールは、ネットワークを介して配信された配信データを受け取るネットワークインターフェースと、
受け取った配信データの音声データ記録領域に所定ブロックの組毎に埋め込まれた復号パラメータを抽出する復号パラメータ抽出手段と、
抽出した復号パラメータに基づいて、所定ブロックの組毎に、暗号化された動画データを復号する復号手段と、
復号された動画データを、動画信号として外部へ出力する動画信号インターフェースと
からなることを特徴とする動画受信モジュール。
【請求項７】
前記復号パラメータは、電子透かしとして埋め込まれることを特徴とする請求項６に記載の動画受信モジュール。
【請求項８】
前記復号手段は、ＩＣカードまたはＳＩＭに搭載された復号手段であることを特徴とする請求項６または請求項７に記載の動画配信モジュール。
【請求項９】
前記復号手段は、共通鍵および乱数パラメータから生成される派生鍵を用いた復号方式であることを特徴とする請求項６〜８いずれかに記載の動画配信モジュール。
【請求項１０】
前記復号パラメータは、前記乱数パラメータであることを特徴とする請求項６〜９いずれかに記載の動画配信モジュール。
【請求項１１】
請求項１〜５いずれかに記載の動画配信モジュールと、請求項６〜１０いずれかに記載の動画受信モジュールを用いた動画伝送システムであって、
動画信号を動画配信モジュールに供給し、
供給された動画信号は、動画データ処理手段により所定フォーマットの動画データに変換され、
変換された動画データは、暗号処理手段により暗号化され、略同時に暗号処理手段で生成される復号パラメータは、所定ブロック単位で復号パラメータ埋め込み手段により、当該動画データに付帯する音声データ記録領域に埋め込まれ、
前記暗号化された動画データと前記復号パラメータを含む配信データをネットワークインターフェースを介してネットワーク上に配信し、
他方、動画受信モジュールは、前記配信データをネットワークインターフェースを介して受け取り、
受け取った配信データの音声データ記録領域に埋め込まれた復号パラメータを抽出し、抽出した復号パラメータに基づいて、復号手段により、暗号化された動画データから復号された動画データを生成し、
動画出力インターフェースから動画信号として出力することを特徴とする動画伝送システム。
【発明の詳細な説明】
【技術分野】
【０００１】
本発明は、監視システムなど動画や音声をネットワーク経由で配信する際の暗号・復号化技術を利用した動画配信モジュール、動画受信モジュールおよび動画伝送システムに関する。
【背景技術】
【０００２】
防犯や監視などのための監視カメラの設置数は、昨今の世情を反映して夥しい数に上っている。また、かつては企業中心であった設置場所も、街角から個人宅へと広がりを見せ、監視カメラの撮影対象も多岐に亘っている。このような広がりの背景には、需要の拡大とともに、デジタル信号処理技術やネットワーク技術の高度化があり、動画や音声をネットワークを介してリアルタイムで配信／再生するストリーミング配信も、現在では一般化した技術となっている。加えて、プライバシー保護や情報漏洩防止の観点から、撮影される映像信号を暗号化するなどの技術も重要視されるようになっている。
【０００３】
例えば特許文献１では、ネットワーク配信機能を持つ小型カメラボードとＩＣカードを組み合わせ、ＩＣカードで動画をリアルタイムで暗号化しつつ、ネットワーク上のパソコンなどに動画を配信する仕組みが提案されている。配信された動画をパソコンで再生するには、パソコン側にもＩＣカードを装着し、復号しながら再生する。
また、特許文献２では、動画や音声などのデジタルデータが統合されたマルチメディアデータを、ネットワークを介してストリーミング配信するときなどに、その動画部分または音声部分を暗号化する仕組みが提案されている。
【特許文献１】特開２００６−２８７８５８号公報
【特許文献２】特開２００８−２０６０９７号公報
【０００４】
上記の仕組みでは、ＩＣカードで暗号化を行うため、処理時間に有利な共通鍵方式であるＡＥＳ（Ａｄｖａｎｃｅｄ  Ｅｎｃｒｙｐｔｉｏｎ  Ｓｔａｎｄａｒｄ）などの使用を想定しリアルタイムでの暗号化処理を実現している。しかしストリーミング配信のように利用が長時間におよぶ場合には、より安全性を高めるため時々鍵を変更することが望ましい。
【０００５】
一般に、ＩＣカードを用いた決済処理などでは、電源投入後、ＩＣカード内の鍵を利用して派生鍵を生成し、決済の処理が済むまでを１セッションとする、いわゆるセッションキー方式が用いられ、セッション毎に新たな鍵を用いることで盗用などの脅威を回避している。このような用途では、セッションキー（派生鍵）は一時的な使用で終わるのに対し、監視カメラなどでは撮影が特に長時間にわたるため、この点からも時々鍵を変更することが必要となる。
【発明の開示】
【発明が解決しようとする課題】
【０００６】
そこで本発明では、暗号化した動画データのストリーミング配信において、刻々と鍵を変更しながらリアルタイムで暗号処理、配信処理および受信処理を可能とする動画伝送システムを提供することを課題とする。
【課題を解決するための手段】
【０００７】
上記課題を解決する第１の発明は、暗号化された動画データを、ネットワークを介して配信する動画配信モジュールであって、
前記モジュールは、
動画入力インターフェースと、
前記入力インターフェースからの動画信号を所定ブロック毎に区分されたフォーマットからなる動画データに変換する動画データ処理手段と、
前記動画データ処理手段からのブロック毎に区分された動画データのブロックを最小単位とした組毎に暗号化する暗号化手段と、
所定ブロックの組毎に暗号化された動画データを所定ブロックの組毎に復号するための復号パラメータを、当該動画データに付帯する音声データ記録領域に埋め込む復号パラメータ埋め込み手段と、
暗号化された動画データと、前記復号パラメータをネットワークを介して外部へ配信するネットワークインターフェースと
からなることを特徴とする。
また、前記復号パラメータは、電子透かしとして埋め込まれることを特徴とする。
また、前記暗号化手段は、ＩＣカードまたはＳＩＭに搭載された暗号化手段であることを特徴とする。
さらに、前記暗号化手段は、共通鍵および乱数パラメータから生成される派生鍵を用いた暗号化方式であることを特徴とする。
また、前記復号パラメータは、前記乱数パラメータであることを特徴とする。
【０００８】
本願第２の発明の要旨は、上記の動画配信モジュールからネットワークを介して配信される暗号化された動画データを受信し、復号する動画受信モジュールにおいて、
前記モジュールは、ネットワークを介して配信された配信データを受け取るネットワークインターフェースと、
受け取った配信データの音声データ記録領域に所定ブロックの組毎に埋め込まれた復号パラメータを抽出する復号パラメータ抽出手段と、
抽出した復号パラメータに基づいて、所定ブロックの組毎に、暗号化された動画データを復号する復号手段と、
復号された動画データを、動画信号として外部へ出力する動画信号インターフェースと
からなることを特徴とする。
また、前記復号パラメータは、電子透かしとして埋め込まれることを特徴とする。
また、前記復号手段は、ＩＣカードまたはＳＩＭに搭載された復号手段であることを特徴とする。
また、前記復号手段は、共通鍵および乱数パラメータから生成される派生鍵を用いた復号方式であることを特徴とする。
さらに、前記復号パラメータは、前記乱数パラメータであることを特徴とする。
【０００９】
本願第３の発明の要旨は、第１の発明の動画配信モジュールと、第２の発明の動画受信モジュールを用いた動画伝送システムであって、
動画信号を動画配信モジュールに供給し、
供給された動画信号は、動画データ処理手段により所定フォーマットの動画データに変換され、
変換された動画データは、暗号処理手段により暗号化され、略同時に暗号処理手段で生成される復号パラメータは、所定ブロック単位で復号パラメータ埋め込み手段により、当該動画データに付帯する音声データ記録領域に埋め込まれ、
前記暗号化された動画データと前記復号パラメータを含む配信データをネットワークインターフェースを介してネットワーク上に配信し、
他方、動画受信モジュールは、前記配信データをネットワークインターフェースを介して受け取り、
受け取った配信データの音声データ記録領域に埋め込まれた復号パラメータを抽出し、
抽出した復号パラメータに基づいて、復号手段により、暗号化された動画データから復号された動画データを生成し、
動画出力インターフェースから動画信号として出力することを特徴とする動画伝送システムである。
【００１０】
なお、電子透かしとは、通常では感知されないレベルで画像データや音声データに特定のデータを埋め込む技術であり、デジタルコンテンツの著作者保護などに用いられている。音声データに電子透かしを埋め込む技術に関しては、音質劣化を避ける方法、あるいは透かしを発見され難くする方法など、多面的に検討されているが、例えば、特許文献３では音質の劣化がなく、発見／削除され難い電子透かしを開示している。
【特許文献３】特開２００５−２４１７９６号公報
【発明の効果】
【００１１】
本発明の動画配信モジュール、動画受信モジュールおよび動画配信システムによれば、音声部分に電子透かしとして乱数パラメータを入れることで、暗号／復号のための鍵を変化させながらストリーミング配信および受信を実行することが可能となり、また、パラメータ受け渡しの方法（回線やメモリカードなど）を別途用意する必要もなくなる。
さらに、暗号化および乱数発生に、着脱容易なＩＣカード（ＳＩＭ）を用いることにより、暗号方式や暗号鍵の変更が容易になるため、高いセキュリティレベルを長期にわたり維持することが可能となる。
【発明を実施するための最良の形態】
【００１２】
＜動画配信モジュール＞
以下、本発明の実施形態について、図面を参照しながら説明する。
図１は、本発明の動画配信モジュールの機能ブロック図である。
ここでの動画配信モジュール１は、撮像カメラ１１からの信号を取り込む動画入力インターフェース１２、および音声マイク１３からの信号を取り込む音声入力インターフェース１４を持つ。暗号化処理および乱数発生を実行する暗号化手段としては、ＳＩＭを用い、以下、動画配信モジュールの説明では、ＳＩＭを用いた場合の例を説明するが、ＳＩＭに代えてＩＣカードを利用することもできる。
なお、ＳＩＭ（Ｓｕｂｓｃｒｉｂｅｒ  Ｉｄｅｎｔｉｔｙ  Ｍｏｄｕｌｅ）は、本来、セキュリティ用途に特化した仕様で作られており、暗号処理に適した高度な演算機能および高精度の乱数発生機能を備える。そのため、ＳＩＭを利用することにより本発明の実施形態に好適な暗号化手段が実現できる。
【００１３】
ＳＩＭ１５は動画配信モジュール１に設けられたＳＩＭスロットに装着され、インターフェースＳＩＭＩ／Ｆ１６を介して信号の授受が行われる。
動画データ処理手段２１では、動画入力インターフェースから取り込まれた動画信号を所定の長さのブロックに区分する。
復号パラメータ埋め込み手段２２は、区分された動画データに付帯する音声データの記録領域に、後述の手順で得られる復号パラメータを埋め込み、復号パラメータ付き音声データを生成する。
暗号化手段２３は、ＳＩＭ１５が保持する秘密鍵とＳＩＭ１５の乱数発生機能で作られる乱数（派生パラメータ）から生成される派生鍵で圧縮動画データを暗号化する。
【００１４】
ネットワークインターフェース２５は、暗号化された動画データと復号パラメータ付き音声データを、ストリーミング配信に適したフォーマットであるＡＳＦ（Ａｄｖａｎｃｅｄ  Ｓｔｒｅａｍｉｎｇ  Ｆｏｒｍａｔ）のような形式に変換し、ＲＴＰ（Ｒｅａｌ−ｔｉｍｅ  Ｔｒａｎｓｐｏｒｔ  Ｐｒｏｔｏｃｏｌ）のようなネットワーク通信用プロトコルでインターフェースＬＡＮＩ／Ｆ１６を介してネットワーク上に配信する。
【００１５】
なお、図１では、動画配信モジュール１、撮像カメラ１１および音声マイク１３はそれぞれ独立した形態で示されているが、動画配信モジュール１の機能の核となる信号処理モジュール２０は極めて小型に製作可能であるため、動画配信モジュール１は本実施の形態に限らず、撮像カメラ１１や音声マイク１３と一体化した形態であってもよい。
動画データ処理手段２１と復号パラメータ埋め込み手段２２は高速な演算処理能力を要するため、これら手段の実現にあたっては演算処理部分の専用チップ化やＤＳＰなどの演算処理素子を用いることが望ましいが、動画のサイズや伝送する際のレートによっては一般的なＣＰＵとソフトウェアの組み合せにより実現することも可能である。
また、図には示していないが、動画配信モジュール１に着脱可能なＳＤメモリカードなどの小型記憶媒体を装着して、動画および音声をマルチメディアデータとして小型記憶媒体に記録することも容易である。
【００１６】
図２は、ＳＩＭの構成図である。一般に、ＳＩＭはＳＩＭ全体を制御するＣＰＵと、不揮発性メモリであるＲＯＭと、電気的に書き換え可能な不揮発性メモリであるＥＥＰＲＯＭを備え、外部機器と情報を授受するために通信インターフェースを持つ。ＲＯＭにはＣＰ
Ｕを動作させるプログラムやＯＳなど、また、ＥＥＰＲＯＭにはパラメータや鍵などが格納される。
本発明の動画配信モジュールに係わるＳＩＭ１５では、通信制御、乱数発生、暗号／復号処理などのプログラム類がＲＯＭ３６に、また、秘密鍵など書き換える可能性のあるデータ類はＥＥＰＲＯＭ３７に格納される。ＲＡＭ３８は、揮発性メモリであり、ＣＰＵ３５が演算処理を行うための作業領域や、通信Ｉ／Ｆ３９を介して外部との通信する際のデータバッファなどとして使用される。
【００１７】
図３は、本発明の動画配信モジュールの各機能の動作を示す図であり、以下、図４の動画配信モジュールの動作フロー図と合わせ、本発明の動画配信モジュールの動作を説明する。
なお、ストリーミング配信においては、画像、音声とも何らかのデータ圧縮を施すのが通常であるので、図３および図４は圧縮処理を含めたフローとしている。
【００１８】
動画配信モジュール１において、撮像カメラ１１からの動画信号は、所定のブロック毎に区切られ（Ｓ２０）、一括りのブロックに区分された動画データは、動画圧縮手段２１にて例えばＭＰＥＧなどの動画圧縮用形式に圧縮され（Ｓ２１）、所定の時間ごとに一括りとなった圧縮動画データ２１１が生成される。続いて、圧縮動画データ２１１は、ＳＩＭ１５に送られ、後述の手順により暗号化処理を施される（Ｓ３４）。
このとき、ＳＩＭ１５では、まず暗号化手段２３で乱数が生成されており（Ｓ３２）、得られた乱数３２は、派生パラメータとして、派生鍵生成（Ｓ３３）に使われるとともに、後述のように、復号パラメータとして、復号パラメータ埋め込み手段２２において音声データに埋め込まれる（Ｓ２２）。
【００１９】
派生鍵は、ＳＩＭが本来備える秘密鍵３１と乱数３２から生成される鍵であるが、所定のブロックの組毎に乱数３１を発生させることにより、派生鍵を組毎に変化させることが可能となる。図５は、派生鍵の生成を模式的に示したもので、固定値である秘密鍵３１と事象ごとに異なる乱数３２との排他的論理和から派生鍵３３が生成される様子を表す。
【００２０】
圧縮動画データ２１１の暗号化処理は、前記派生鍵によりＡＥＳやＴ−ＤＥＳ等の暗号アルゴリズムを用いて実行され（Ｓ３４）、暗号化動画データ３４が生成される。
ＳＩＭ１５から、暗号化動画データ３４と乱数３２が動画配信モジュール１に送られる。
【００２１】
音声マイク１３からの音声信号も、動画信号に同期して所定のブロックの音声データに区分され、復号パラメータが埋め込まれる（Ｓ２２）。なお、復号パラメータを埋め込むに当たっては、本発明では、より高いセキュリティ性の確保の点から、電子透かしの形で埋め込むことを特徴としている。
このように生成されたパラメータ付き音声データ２２１は、さらに音声圧縮手段２４で圧縮され（Ｓ２４）、所定の時間ごとに一括りとなった圧縮音声データ２４１に変換される。
【００２２】
ＳＩＭ１５から得られた暗号化動画データ３４とパラメータ付き圧縮音声データ２４１は、ネットワークインターフェース２５において、例えばＡＳＦ形式のようなフォーマットに変換され（Ｓ２５ａ）、さらにＲＴＰ等のプロトコルでネットワーク５上に配信される（Ｓ２５ｂ）。
【００２３】
以上が、所定ブロックにおける動作フローであり、動画配信モジュール１では、前記動作フローを、所定ブロックを単位として、一単位ごと、あるいは複数の単位をまとめた形で、新たな乱数を発生させながら繰り返す（Ｓ２８）。
また、図３では、説明のために動画配信モジュール１とＳＩＭ１５を分離した形態で記載しているが、実際には動画配信モジュール１とＳＩＭ１５が一体となって本発明の動画配信モジュールとしての機能を果たすものである。
【００２４】
＜動画受信モジュール＞
本発明の動画配信モジュールで配信された動画データを観察するための動画受信モジュールは、上記動画配信モジュールの動作をほぼ遡る手順により元の動画を復元することができる。また、受信のための演算は配信の際の演算に比べ軽負荷であるので、動画受信モジュールは、配信された動画情報を観察するビューアの機能であれば、パソコン（ＰＣ）を利用して容易に構築できる。
動画受信モジュールとしてＰＣを用いるとすると、ＰＣには動画配信モジュールにおけるＳＩＭと同等のＳＩＭまたはＩＣカードが装着される。すなわち、動画配信モジュールのＳＩＭと動画受信モジュール（ＰＣ）のＩＣカードは、同じ暗号／復号アルゴリズムを搭載し、同じ秘密鍵（共通鍵）を持つ。
【００２５】
図６は、本発明の動画受信モジュールの機能ブロック図である。
ネットワークインターフェース５０は、動画配信モジュールから配信される動画データをネットワークを介して受信する。復号パラメータ抽出手段５１は、受信した動画データに付帯する音声データ記録領域に埋め込まれた復号パラメータを取り出す。
復号手段５３は、暗号化された動画データを復号するためのものであり、復号パラメータ抽出手段５１で抽出された復号パラメータを用いた復号鍵で動画データを復号する。
なお、図６の例は、復号手段５３として、ＩＣカードの暗号／復号機能を用いた形態を表わし、同ＩＣカードはＩＣカードインターフェース（ＩＣカードＩ／Ｆ）５６を介して動画受信モジュール２と信号の授受を行う。
【００２６】
動画復元処理手段５２は、復号手段５３にて復号された、ブロック毎の動画データを連続した動画に再構築（復元）する。なお、復号された動画データが圧縮データであれば、圧縮データの伸張処理も動画復元処理手段５２で施される。
動画信号インターフェース５４は、復元された動画信号を外部へ出力する。
このように出力された動画信号は、ディスプレイ等によりリアルタイムで観察することはもちろん、記憶装置等に保管することも可能である。
なお、上記のようにＰＣを利用した動画受信モジュールでは、復号パラメータ抽出手段５１、動画復号処理手段５２は、ＰＣ上で動作するソフトウェアで実現することが可能である。
【００２７】
図７は、動画受信モジュールの動作フロー図である。
動画配信モジュール１から配信された動画情報をＰＣで再生する場合を例とすると、ＰＣ（ＩＣカード装着）は、ＬＡＮ経由で動画配信モジュール１に接続し、動画データを受け取る（Ｓ５１）。
同動画データは、ブロックの組毎に区分され暗号化された動画データであり、その音声記録領域には電子透かしなどの形で復号パラメータが埋め込まれている。また、音声信号は多くの場合は圧縮されて記録されている。
【００２８】
そこで、ＰＣは、まず圧縮音声データから復号パラメータ入り音声データを復元する。このとき、復号パラメータが電子透かしの形で埋め込まれていれば、音声データから電子透かしを抽出し、さらに復号パラメータ（乱数）を取り出す（Ｓ５２）。
【００２９】
続いて、ＰＣは、動画データと復号パラメータをＩＣカードに送り、ＩＣカードは同復号パラメータ（乱数）と自身の秘密鍵から派生鍵を生成する（Ｓ５３）。動画配信モジュール１のＳＩＭ１５の秘密鍵３１とＰＣのＩＣカードの秘密鍵は共通であるので、ＩＣカード内で生成された派生鍵は動画配信モジュール１における派生鍵３３と同じものとなる。この派生鍵で動画データを復号することにより、ＩＣカードは元の動画信号を復元することができる（Ｓ５５）。
【００３０】
ＰＣは、復元された動画信号をＩＣカードから受け取り、一単位の動画信号としてディスプレイなどの映像装置や記憶装置に出力する（Ｓ５６）。ＰＣは、終了指示があるまで次の動画データの取り込みを続け（Ｓ５８）、上記動作を繰り返すことにより動画データの復元を続ける。区分された動画を連続した動画として再生するには、通常は、動画データの所定ブロック毎に付加される時間情報に従って各動画データを連結するような方法を用いる。音声信号を含む場合も、前記時間情報に従い、動画と音声を、同期を取りながら再生すればよい。
【００３１】
＜動画伝送システム＞
図８は、動画伝送システムの機能ブロック図である。
本発明の動画伝送システムは、第１の発明の動画配信モジュールと、第２の発明の動画受信モジュールからなり、これらがネットワークを介して接続されることにより構成される。
前記の動画配信モジュールおよび動画受信モジュールが有する機能により、本発明の動画伝送システムは、暗号化された動画データのストリーミング配信において高い効果を発揮する。すなわち、動画データを復号するための鍵がネットワーク上に直接曝されることなく、また、鍵生成のための復号パラメータは動画データ所定の長さごとに変化しながら伝送されるため、例えばインターネットのようなオープンなネットワーク環境においても、高いセキュリティレベルを持ったストリーミング配信の仕組みが実現できる。
【図面の簡単な説明】
【００３２】
【図１】動画配信モジュールの機能ブロック図
【図２】ＳＩＭの構成図
【図３】動画配信モジュールの各機能の動作を示す図
【図４】動画配信モジュールの動作フロー図
【図５】派生鍵の生成過程を示す図
【図６】動画受信モジュールの機能ブロック図
【図７】動画受信モジュールの動作フロー図
【図８】動画伝送システムのブロック図
【符号の説明】
【００３３】
１    動画配信モジュール
２    動画受信モジュール
５    ネットワーク
１１    撮像カメラ
１２    動画入力インターフェース
１３    音声マイク
１４    音声入力インターフェース
１５    ＳＩＭ
１６    ＳＩＭＩ／Ｆ
２１    動画データ処理手段
２２    復号パラメータ埋め込み手段
２３    暗号化手段
２４    音声圧縮手段
２５    ネットワークインターフェース
３１    秘密鍵
３２    乱数
３３    派生鍵
３４    暗号化動画データ
５０    ネットワークインターフェース
５１    復号パラメータ抽出手段
５２    動画復元処理手段
５３    復号手段
５４    動画信号インターフェース
５５    ＩＣカード
５６    ＩＣカードインターフェース
２１１    圧縮動画データ
２２１    圧縮音声データ
２４１    電子透かし入り音声データ
【図１】
2010147749.tif 000003
【図２】
2010147749.tif 000004
【図３】
2010147749.tif 000005
【図４】
2010147749.tif 000006
【図５】
2010147749.tif 000007
【図６】
2010147749.tif 000008
【図７】
2010147749.tif 000009
【図８】
2010147749.tif 000010